(57)【要約】【課題】  メンテナンス時の交換作業が容易なタップ表示器を備えた負荷時タップ切換器を提供する。【解決手段】  タップ表示器１０７を電動操作機構Ｂの制御部６から分離し、変圧器２の上部位置に取り付ける。タップ表示器１０７は、その表示面１０７ａの向きを任意に変更可能とするとともに、これを一式として交換可能に構成する。【選択図】        図１
2020027913.tif 000002
【特許請求の範囲】
【請求項１】
変圧器の励磁状態又は負荷がかかった状態で変圧器巻線のタップを切換える負荷時タップ切換器において、マイクロスイッチやリミットスイッチを内蔵して、現在のタップ位置を表示する表示器を、前記タップの切換指令を出力する制御部と機械的に分離して、前記変圧器の上部位置に取り付けて構成したことを特徴とする負荷時タップ切換器。
【請求項２】
前記表示器はこれを一式として交換できるよう着脱可能に構成したことを特徴とする請求項１記載の負荷時タップ切換器。
【請求項３】
前記表示器は、その表示面が見やすくなるように角度調節可能に構成したことを特徴とする請求項１又は請求項２の何れかに記載の負荷時タップ切換器。
【発明の詳細な説明】
【技術分野】
【０００１】
本発明は、タップ表示器の交換を容易にし、メンテナンス性を向上させた負荷時タップ切換器に関する。
【背景技術】
【０００２】
従来から、変圧器巻線のタップを変圧器の負荷を切らないまま切り換えて、常時変圧比を調整し、送り出し電圧を一定に保つ負荷時タップ切換器は知られている（下記特許文献１参照）。
【先行技術文献】
【特許文献】
【０００３】
【特許文献１】特開２００６−７３５６４
【０００４】
特許文献１に示されるように、負荷時タップ切換器は、変圧器のタンク内に取り付けられるものであり、これを駆動する電動操作機構Ａは、図２（ａ）に示すように、箱体１０１に収容されて、変圧器のタンク側壁に取り付けられる。
【０００５】
箱体１０１には開閉自在の扉１０２が取り付けられ、扉１０２には覗き窓１０３が設けられている。
【０００６】
このように構成された電動操作機構Ａは、同図（ｂ）に示すように、前述の負荷時タップ切換器と連結される出力軸１０４と、出力軸１０４に回転駆動力を与える電動機１０５、電動機１０５を操作して負荷時タップ切換器を昇圧又は降圧方向に切り換える昇降圧切換スイッチ１０６と、現在のタップ位置を表示するタップ表示器１０７、および、制御装置１０８などから構成されている。
【０００７】
また、箱体１０１の扉１０２を開放した前面には、扉１０２の覗き窓１０３と対応する位置に、タップ表示器１０７の表示内容が見られるように矩形状の切抜部１０９を形成した保護パネル１１０と、昇降圧切換スイッチ６が取り付けられる操作パネル１１１、制御装置１０８が取り付けられる制御装置パネル１１２が配置されている。
【０００８】
このように構成された特許文献１の負荷時タップ切換器においては、電動操作機構Ａを操作して負荷時タップ切換器を駆動した場合、電動操作機構Ａの箱体１０１に取り付けた扉１０２の覗き窓１０３から保護パネル１１０上の切抜部１０９を通してタップ表示器１０７を見ることで、直接、現在のタップ位置を確認することができるので、箱体１０１の扉１０２を開放する必要がなく便利である。
【発明の概要】
【発明が解決しようとする課題】
【０００９】
前記タップ表示器１０７としてはアナログ構成のものやデジタル構成のものなど種々存在するが、その一つとしてアナログ構成のものを例示すれば、図３に示すように、タップ番号が表示されたタップ表示板１１３と、タップ表示板１１３上で回転し、現在のタップ位置を指示する第一の指示針１１４を主要な要素として備えたものが存在する。
【００１０】
指示針１１４の可動範囲には、負荷時タップ切換器の実際の運用によって使用した最低動作タップ位置と最高動作タップ位置を確認するための一対の置き針１１５が設けられるとともに、昇圧側および降圧側の極限タップ位置において動作するリミットスイッチ１１６が設けられている。
【００１１】
また、タップ表示板１１３の下部位置には、１タップ間における切換位置を０°〜３６０°の範囲で角度表示する切換位置表示板１１７が取り付けられており、切換位置は第二の指示針１１８で指示される。つまり、第二の指示針１１８は１タップ間の切換位置を、切換位置表示板１１７上を一周することにより角度表示するものである。
【００１２】
第二の指示針１１８は、複数のマイクロスイッチ１１９ａ，１１９ｂ，…と連動しており、当該マイクロスイッチ１１９ａ，１１９ｂ，…は、第２の指示針１１８が各々のマイクロスイッチ１１９ａ，１１９ｂ，…が配置される角度位置となったときに動作し、予め決められた機能を実現する機会（トリガー）となる。
【００１３】
例えば、第二の指示針１１８が示す表示角度が３３０°となった場合、マイクロスイッチ１１９ａがＯＮし、図２（ｂ）に示す電動操作機構Ａの箱体１０１内に配置した電動機１０５の駆動を停止する。これにより、電動機１０５はその後、惰性によって３０°回転を継続することでタップ切換動作を継続し、所定のタップ位置に停止する。
【００１４】
このような機能を実現するため、タップ表示器１０７にはリミットスイッチ１１６やマイクロスイッチ１１９ａ，１１９ｂ，…といった電装品が備えられている。これら電装品は定期的な交換が必要であり、交換作業の時間短縮や作業の簡素化が望まれる。
【００１５】
然るに、図２（ｂ）に示す従来のタップ表示器１０７は、電動操作機構Ａの箱体１０１内に収納されており、しかも、その前面は保護パネル１１０が取り付けられているので、上記電装品を交換する場合は、箱体１０１の扉１０２を開け、保護パネル１１０を取り外したうえで、タップ表示器１０７から取り外す必要があり、非常に作業負担が重かった。
【００１６】
また、交換用のリミットスイッチ１１６やマイクロスイッチ１１９ａ，１１９ｂ，…を取り付ける場合には、取り付けるスイッチの角度調整や押込量調整などのメンテナンス技術が必要となり、作業者が限定されてしまうといった問題があった。
【００１７】
そこで、本発明は、上記交換作業を容易にすることで特別なメンテナンス技術を不要とし、かつ、作業負担の軽減と作業時間の短縮を図ることのできる負荷時タップ切換器を提供する。
【課題を解決するための手段】
【００１８】
請求項１記載の発明は、変圧器の励磁状態又は負荷がかかった状態で変圧器巻線のタップを切換える負荷時タップ切換器において、マイクロスイッチやリミットスイッチを内蔵して、現在のタップ位置を表示する表示器を、前記タップの切換指令を出力する制御部と機械的に分離して、前記変圧器の上部位置に取り付けて構成したことに特徴を有する。
【００１９】
請求項２記載の発明は、請求項１記載の表示器を一式として交換できるよう着脱可能に構成したことに特徴を有する。
【００２０】
請求項３記載の発明は、請求項１又は請求項２の何れかに記載の表示器の表示面が見やすくなるように角度調節可能に構成したことに特徴を有する。
【発明の効果】
【００２１】
請求項１記載の発明によれば、現在のタップ位置を表示する表示器が変圧器の上部位置に取り付けられるので、タップ位置を確認しやすい。
【００２２】
請求項２記載の発明によれば、表示器を構成する各種電装品を表示器から取り外して交換する必要がなく、作業に要する負担を軽減でき、作業時間を短縮できる。また、表示器を構成する各種電装品の交換作業に特別なメンテナンス技術が不要となるので、作業者が限定されない。
【００２３】
請求項３記載の発明によれば、表示器の表示面を常に確認しやすい角度に変更することができる。
【図面の簡単な説明】
【００２４】
【図１】本発明に係る負荷時タップ切換器を変圧器に取り付けた状態を示す縦断面図である。
【図２】（ａ）は、従来の負荷時タップ切換器に付属する電動操作機構の外観斜視図であり（ｂ）は、前記電動操作機構の開閉扉を開けた状態を示す内部構成図である。
【図３】負荷時タップ切換器に付属する一般的なアナログ構成のタップ位置の表示器を示す正面図である。
【発明を実施するための形態】
【００２５】
以下、本発明の実施の形態を図１および図３を用いて説明する。図１は本発明の負荷時タップ切換器１を変圧器２に取り付けた状態を示している。
【００２６】
負荷時タップ切換器１は、変圧器２内に取り付けられ、負荷電流を遮断する切換開閉器３と、その下部に位置するタップ選択器４から概略構成されている。
【００２７】
本発明に係る負荷時タップ切換器１の電動操作機構Ｂは、機構部５と制御部６を機械的に分離して、機構部５を例えば、負荷時タップ切換器１の上部に位置する変圧器２の上面に配置し、制御部６を変圧器１の側面の操作者が操作し易い高さ位置に配置する。
【００２８】
機構部５と制御部６間は例えば、配線用ケーブル７によって電気的に接続され、制御部６によって機構部５が駆動制御される。
【００２９】
機構部５の駆動は、機構部５に付属し制御部６からの指令を受けて動作する電動機（図示せず）によって実現される。なお、機構部５には操作用ハンドルを連結するハンドル連結部（図示せず）が備えられ、該操作用ハンドル（図示せず）を操作することによって、機構部５を介して負荷時タップ切換器１を手動操作することもできる。
【００３０】
以上のように構成した電動操作機構Ｂによって負荷時タップ切換器１を駆動し、変圧器１を構成する変圧器巻線のタップを切換える場合は、制御部６を操作して、タップの切換指令を配線用ケーブル７を介して電動機（図示せず）に出力し、これを動作させる。
【００３１】
機構部５は前記電動機（図示せず）の動作によって駆動する。機構部５の駆動は負荷時タップ切換器１に伝達され、負荷時タップ切換器１によって変圧器巻線のタップが切換えられる。
【００３２】
図１に示す１０７は、図３にて既に説明したタップ表示器であり、本発明では変圧器１の上部位置に取り付けられる。タップ表示器１０７の表示面１０７ａを視認することにより、現在のタップ位置と、１タップ間のタップ切換位置を確認できることは前述したとおりである。
【００３３】
また、タップ表示器１０７には、リミットスイッチ１１６やマイクロスイッチ１１９ａ，１１９ｂ，…といった電装品が具備され、負荷時タップ切換器１の駆動を制御する。
【００３４】
負荷時タップ切換器１による変圧器巻線のタップ切換えは、図３に示すリミットスイッチ１１６が動作することにより、その極限値を超えてタップ切換えされることはなく、また、機構部５に付属した電動機は、切換位置表示板１１７の３３０°位置に配置したマイクロスイッチ１１９ａが動作することにより、その駆動を停止する。
【００３５】
このように構成したタップ表示器１０７は、その表示面１０７ａの向きを任意に変更できるよう支持部材１０７ｂに取り付けられる。その結果、現在のタップ位置をあらゆる位置から確認しやすくなる利点を有する。
【００３６】
そして、本発明のタップ表示器１０７は、それを一式として交換可能に構成している。つまり、タップ表示器１０７を構成するリミットスイッチ１１６やマイクロスイッチ１１９ａ，１１９ｂ，…といった電装品は定期的な交換が必要であることは前述したとおりであるが、本発明のタップ表示器１０７はこれを全体として交換できるので、従来のように、電装品を交換するにあたって、扉の開放、保護パネルの取り外し、タップ表示板および切換位置表示板からのリミットスイッチやマイクロスイッチの取り外しが不要となる。
【００３７】
また、交換用のリミットスイッチやマイクロスイッチの取り付けも不要となるので、スイッチの角度調整や押込量調整などのメンテナンス技術が必要となり、作業者が限定される問題を解決できる。
【００３８】
以上説明したように、本発明は、タップ表示器を一式として交換できるので、これを構成するリミットスイッチやマイクロスイッチの取り外しおよび取り付け作業が不要となり、交換作業に特別なメンテナンス技術が不要となる。この結果、交換作業に要する負担が軽減し作業時間を短縮することが可能となる。
【００３９】
また、タップ表示器はその表示面の向きを任意に変更可能であるので、タップ位置の確認が容易になる。
【００４０】
さらに、電動操作機構の機構部と制御部間が配線用ケーブルによって電気的に接続されるので、従来の電動操作機構のように、出力軸を介して電動機の回転駆動力を負荷時タップ切換器に伝える場合と比較して、出力軸を削減できる分、そのコストを削減できるとともに、機構部や制御部の設置位置が制限されない利点を有する。
【産業上の利用可能性】
【００４１】
本発明は、定期交換が必要な各種電装品を備える各種電気機器に利用可能である。
【符号の説明】
【００４２】
１  負荷時タップ切換器
２  変圧器
３  切換開閉器
４  タップ選択器
５  機構部
６  制御部
７  配線用ケーブル
１０１  箱体
１０２  扉
１０３  覗き窓
１０４  出力軸
１０５  電動機
１０６  昇降圧切換スイッチ
１０７  タップ表示器
１０７ａ  表示面
１０７ｂ  支持部材
１０８  制御装置
１０９  切抜部
１１０  保護パネル
１１１  操作パネル
１１２  制御装置パネル
１１３  タップ表示板
１１４  第一の指示針
１１５  置き針
１１６  リミットスイッチ
１１７  切換位置表示板
１１８  第二の指示針
１１９ａ，１１９ｂ，…  マイクロスイッチ
Ａ  従来の電動操作機構
Ｂ  本発明の電動操作機構
【図１】
2020027913.tif 000003
【図２】
2020027913.tif 000004
【図３】
2020027913.tif 000005